(57)【要約】      （修正有）【課題】水素分子を有効に水に溶存させ、効率よく呼吸によって人体に吸収させる装置を提供する。【解決手段】人体の水素分子吸収を高めることができる水素水霧化溶合装置であって、第一収納体１０と、第二収納体２０と、水素発生モジュール３０と、超音波振動機４０を含み、第一収納体には清浄水液が収納されており、かつ制御バルブ２０２によって水位を制御し第二収納体と連通している。第二収納体は、水素発生モジュールに接続されており、水素発生モジュールは第二収納体に送入された清浄水液により生成した水素と水素水を第一収納体に送り、第一収納体を高溶合水素水と大量の水素で満たし、超音波振動機の作動により、第一収納体内の高溶合水素水は大量の水素霧を発生して水素と結合し、極微細粒エアロゾル形態の水素霧滴を放出して、人体の呼吸摂取に供給することにより、人体の水素分子の吸収効率を高め、所望の使用目的と効果を達成する。【選択図】図１
0003226401.tif 000002
【実用新案登録請求の範囲】
【請求項１】
第一収納体と、第二収納体と、水素発生モジュールと、超音波振動機を含む、人体の水素分子吸収を高めることができる水素水霧化溶合装置であって、
前記第一収納体には、所定量の清浄水液が収納されており、排気管が設けられ、外部と連通しており、
前記第二収納体には、給水管が第一収納体に接続されており、所定量の清浄水液が収納されており、排気管が設けられ、外部と連通しており、
前記水素発生モジュールには、第二収納体に接続されている送入ポートと送出ポートが設けられており、また第一収納体に接続されている送出チューブが設けられており、送入ポートより第二収納体の清浄水液が送入され、送出ポートから生成した酸素と水液を送出し、送出チューブから生成した水素や水素水を送出し、かつ送出チューブの送出ゲートより第一収納体に送り込み、
前記超音波振動装置は、第一収納体内に設置され、第一収納体内の水液を振動して水素霧を生成する、
人体の水素分子吸収を高めることができる水素水霧化溶合装置。
【請求項２】
前記第一収納体内には、連通している霧化槽が設けられており、前記霧化槽の下部は第一収納体に収納された水液に覆われていて、前記霧化槽は水素発生モジュールの送出管の送出口及び超音波振動機に対応しており、前記霧化槽の上部には外部に連通している排気路が設けられている、請求項１に記載の人体の水素分子吸収を高めることができる水素水霧化溶合装置。
【請求項３】
前記第一収納体の排気路は外部に連通している排気管と接続されている、請求項１に記載の人体の水素分子吸収を高めることができる水素水霧化溶合装置。
【請求項４】
前記第一収納体と第二収納体に接続している給水管には制御バルブが設けられており、前記制御バルブは第一収納体の水液が設定量第二収納体に入るように制御することにより、前記第一収納体と第二収納体の水位を設定高度に維持する請求項１に記載の人体の水素分子吸収を高めることができる水素水霧化溶合装置。
【請求項５】
前記制御バルブは電磁バルブである、請求項４に記載の人体の水素分子吸収を高めることができる水素水霧化溶合装置。
【考案の詳細な説明】
【技術分野】
【０００１】
本考案は、人体の水素分子吸収を高めることができる水素水霧化溶合装置に関すもので、特にコンパクトで、操作しやすく、便利に、水素分子を有効に水気に溶存させ、かつ効率よく呼吸を通して人体に拡散浸透して、所望の保健と護身効果を達して、実用性が極めて高い、理想的で進歩性のある水素水霧化溶合装置に関する。
【背景技術】
【０００２】
人体の正常な新陳代謝は一種の酸化反応であり、自然にフリーラジカルが発生する、フリーラジカルは非常に酸化力が強く、細胞を攻撃して細胞にダメージを与える、研究によると、フリーラジカルは慢性病、ガン、さらには老化の要因である。
【０００３】
また、水素は一種の還元力の強い抗酸化物質であり、研究によると、フリーラジカルは吸入した水素と水になって体外に排出することができ、そのため水素によって人体のフリーラジカルの数を減らすことにより、酸性体質を健康なアルカリ性体質に還元する機能をもたらし、抗酸化、老化防止、さらには慢性疾患の緩和及び美容の効果をもたらす。
【０００４】
前記のように、フリーラジカルは吸入した水素と水になって体外へ排出することができるものの、水素は水に溶けにくいため、呼吸によって吸入された水素の大部分は吐き出されてしまい、本当に摂取される水素分子の比率は極めて低い、そのため水素量を増やすか、水素吸引時間を増やすなどして低吸収率を補う。
【０００５】
すなわち、細胞は主に拡散作用によってガス分子が細胞膜を行き来する、水素分子も例外でなく、水素分子がガスの状態で肺胞に入るには、まず細胞の外表面を被覆する薄い水の中に溶存したのちに、水素分子が拡散によって細胞内に進入する、肺胞細胞の表面に密に分布した毛細血管を通して、前記溶存した水素分子が血流にのって各臓器に、または拡散により近傍に拡散する。このことから、水素分子がまず胸外体液の水の中に溶存することが、体に水素分子を取り込める量のキーポイントである。
【０００６】
言い換えると、どのように水素分子を有効的に水に溶存させ、効率よく呼吸によって人体に拡散して入れることが、本領域での克服と達成すべき目標である。
【考案の概要】
【考案が解決しようとする課題】
【０００７】
本考案の主に人体の水素分子吸収を高めることができる水素水霧化溶合装置は、水素分子を先に有効的に清浄水液に溶存させ高溶合水素水を形成し、かつ前記高溶合水素水を水素霧形態にて大量の水素分子と再結合して、極微細粒エアロゾル形態の水素霧滴を人体の呼吸摂取に供給して、前記人体に吸引された水素霧滴は気道で拡散作用により毛細血管や肺の組織に、自然に、前記水素分子の人体摂取吸収効率を高め、所望の保健と護身効果を達成することを目的とする。
【課題を解決するための手段】
【０００８】
前期目的を達成するために、本考案は第一収納体と、第二収納体と、水素発生モジュールと、超音波振動機を含み、前記第一収納体には清浄水液が収納されており、かつ制御ルバルブによって水位を制御し第二収納体と連通している。前記排前記第二収納体は、水素発生モジュールに接続されており、前記水素発生モジュールは第二収納体に送入された清浄水液により生成した水素と水素水を第一収納体に送り、第一収納体を高溶合水素水と大量の水素で満たし、超音波振動機の作動により、第一収納体内の高溶合水素水は大量の水素霧を発生して水素と結合する、かつ極微細粒エアロゾル形態の水素霧滴を放出して、人体の呼吸摂取に供給しることにより、人体の水素分子の吸収効率を高め、所望の使用目的と効果を達成する。
【０００９】
本考案の目的、特徴と効果をより理解しやすくするために、以下に図面と実施例により詳しく説明する。
【図面の簡単な説明】
【００１０】
【図１】図１は本考案の実施例を模式的に示した平面図である。
【考案を実施するための形態】
【００１１】
図１に示したように、本考案の人体の水素分子吸収を高めることができる水素水霧化溶合装置は、主に、第一収納体１０と、第二収納体２０と、水素発生モジュール３０と、超音波振動機４０が設けられている。
【００１２】
そのうち、前記第一収納体１０には所定量の清浄水液が収納されており、中に連通している霧化槽１０１が設けられている、霧化槽１０１の下部は所定の高さの清浄水液に覆われ、霧化槽１０１の上部は排気路１０２が設けられており、前記排気路１０２は外部に連通しており、かつ送気管１０３に接続されている。
【００１３】
前記第二収納体２０には給水管２０１と制御バルブ２０２が設けられており、第一収納体１０に接続されており、第一収納体１０から清浄水液を送入することができる、外部に連通する一排気管２０３が設けられており、そのうち、前記制御バルブ２０２は電磁バルブであってもよく、第一収納体１０から第二収納体２０に清浄水液を設定量送入することを制御できることにより、第一収納体１０と第二収納体２０内の水位を随時設定高さに維持することができる。
【００１４】
前記水素発生モジュール３０には、第二収納体２０に接続されている送入ジョイント３０１と送出ジョイント３０２が設けられており、第一収納体１０に接続している送出管３０３が設けられ、第二収納体２０に送入された清浄水液によって生成した水素と水素水を、送出管３０３を通して第一収納体１０に送入する、並びに第二収納体２０に送入された清浄水液によって生成した酸素と水液を、送出ジョイント３０２によって第二収納体２０に送り返す、そのうち、前記送出管３０３の送出口３０３１は第一収納体１０の霧化槽１０１に対応しており、送入した水素を直接霧化槽１０１内に収集する、また前記水素水が第一収納体１０に送入された後、第一収納体１０内の清浄水液を高溶合水素水にすることができる。
【００１５】
超音波振動機４０は、第一収納体１０に設置されており霧化槽１０１に対応している、第一収納体１０内の高溶合水素水を振動により大量の水素霧を形成して霧化槽１０１に収集される、前記形成した大量の水素霧は霧化槽１０１に収集された水素と再度結合する、またこれにより極微細粒（ＰＭ１０以下）エアロゾル（ａｅｒｏｓｏｌ）形態の水素霧滴Ａ（Ｈｙｄｒｏｇｅｎ  ｍｉｓｔ）が霧化槽１０１を充満する、そして前記極微細粒エアロゾル形態の水素霧滴Ａは排気路１０２と送気管１０３を通して外に放出する。
【００１６】
前記のように、前記水素発生モジュール３０によって生成した酸素と水液は、送出ジョイント３０２を通して、共に第二収納体２０に送入した後、前記第二収納体２０には外部に連通した排気管２０３が設けられているため、前記第二収納体２０に送入した酸素はスムーズに排気管２０３より排出されるだけでなく、前記第二収納体２０内に送入した水液はさらに循環再利用され、水資源の節約効果を奏でることができる。
【００１７】
すなわち、前記構成の本考案を利用して、第一収納体１０内の清浄水液が給水管２０１を通して第二収納体２０に入ると、第二収納体２０内の清浄水液がまた送入ジョイント３０１より水素発生モジュール３０へ送入され、水素発生モジュール３０によって生成された酸素と水液が共に送出管３０２より第二収納体２０に回送されるとともに、生成された水素と水素水は共に送出管３０３より第一収納体１０に運ばれた後に、前記酸素と水液は共に第二収納体２０へ送られる、そのため前記酸素がスムーズに排気管２０３より排出されるだけでなく、前記一緒に第二収納体２０に入った水液はさらに循環再利用され、節水効果を奏でることができるとともに、前記送出管３０３の送出口３０３１は第一収納体１０の霧化槽１０１に対応しているため、水素発生モジュール３０によって生成された大量の水素は送出管３０３を通して送出した後、直接前記霧化槽１０１に収集され、前記継続的に水素と一緒に第一収納体１０に送出される水素水は、元々第一収納体１０に収納された清浄水液と徐々に高溶合水素水となる、続いて、前記第一収納体１０内には超音波振動機４０が設置されていて、かつ前記超音波振動機４０は霧化槽１０１に対応しているため、第一収納体１０内に収納されている高溶合水素水に振動により大量の水素霧を形成すると、前記形成された大量の水素霧は霧化槽１０１に収集される、また継続して霧化槽１０１に入ってきて、収集される大量の水素と再結合して極微細粒（ＰＭ１０以下）エアロゾル（ａｅｒｏｓｏｌ）形態の水素霧滴Ａ（Ｈｙｄｒｏｇｅｎ  ｍｉｓｔ）が形成される状況にて、自然に、前記霧化槽１０１上部に設置された排気路１０２より、前記大量の水素分子を含有する極微細粒エアロゾル形態水素霧滴Ａはスムーズに送気管１０３より外部に送出しることにより、人体が呼吸方式にて摂取する。
【００１８】
前記のように、前記第一収納体１０の霧化槽１０１に充満収集された大量の水素と、前記超音波振動機４０の作動により形成した大量の水素霧は、お互い霧化槽１０１内で再結合することができ、水素が十分水に溶存して極微細粒エアロゾル形態水素霧滴Ａを形成すると、前記大量の水素分子を含有した極微細粒エアロゾル形態水素霧滴Ａは、霧化槽１０１の排気道１０２と、排気管１０３を通して送出され、人体が呼吸方式にて吸入した後、気道に入った水素霧滴Ａは自然に呼吸壁に衝突または触れた際に、すぐに拡散作用によって毛細血管の循環や肺の組織に入り、水素分子を素早く、高効率に吸収される。前記大量の水素分子は人体に高効率で摂取吸収される作用により、自然に、所望の保健と護身効果と目的をより高く達成する。
【００１９】
前記のように、前記第一収納体１０と第二収納体２０の水位は、制御回路や制御バルブ２０２によって自動に設定値に制御維持できると、適時清浄水液を供給補充して使用の安定性と安全性だけでなく、大量の水素霧滴Ａの作成と送出も安定した供給により、本考案の使用効率をさらに高める効果をもたらす。
【００２０】
言い換えると、本考案によれば、少なくとも以下の利点が得られる：
【００２１】
１．作成が簡単で、経済性がよい。
【００２２】
２．操作、使用しやすく、便利、実施の利便性がある。
【００２３】
３．水素分子を有効に水に溶存させ極微細粒エアロゾル形態の水素霧滴を形成して、呼吸方式にて高効率に人体に拡散進入でき、所望の保健と護身効果を達成する。
【００２４】
ただし、以上に述べたものは本考案の好ましい実施例であって、本考案の主旨のさらなる効果や変形は、本考案の請求の範囲に含まれるものである。
【符号の説明】
【００２５】
Ａ：水素霧滴
１０：第一収納体
１０１：霧化槽
１０２：排気路
１０３：送気管
２０：第二収納体
２０１：給水管
２０２：制御バルブ
２０３：排気管
３０：水素発生モジュール
３０１：送入ジョイント
３０２：送出ジョイント
３０３：送出管
３０３１：出口
４０：超音波振動機
【図１】
0003226401.tif 000003
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
第一収納体と、第二収納体と、水素発生モジュールと、超音波振動機を含む、人体の水素分子吸収を高めることができる水素水霧化溶合装置であって、
前記第一収納体には、所定量の清浄水液が収納されており、排気管が設けられ、外部と連通しており、
前記第二収納体には、給水管が第一収納体に接続されており、所定量の清浄水液が収納されており、排気管が設けられ、外部と連通しており、
前記水素発生モジュールには、第二収納体に接続されている送入ポートと送出ポートが設けられており、また第一収納体に接続されている送出管が設けられており、送入ポートより第二収納体の清浄水液が送入され、送出ポートから生成した酸素と水液を送出し、前記送出管から生成した水素や水素水を送出し、かつ前記送出管の送出ゲートより第一収納体に送り込み、
前記超音波振動装置は、第一収納体内に設置され、第一収納体内の水液を振動して水素霧を生成する、
人体の水素分子吸収を高めることができる水素水霧化溶合装置。
【請求項２】
前記第一収納体内には、連通している霧化槽が設けられており、前記霧化槽の下部は第一収納体に収納された水液に覆われていて、前記霧化槽は水素発生モジュールの前記送出管の送出口及び超音波振動機に対応しており、前記霧化槽の上部には外部に連通している排気路が設けられている、請求項１に記載の人体の水素分子吸収を高めることができる水素水霧化溶合装置。
【請求項３】
前記第一収納体の排気路は外部に連通している排気管と接続されている、請求項１に記載の人体の水素分子吸収を高めることができる水素水霧化溶合装置。
【請求項４】
前記第一収納体と第二収納体に接続している給水管には制御バルブが設けられており、前記制御バルブは第一収納体の水液が設定量第二収納体に入るように制御することにより、前記第一収納体と第二収納体の水位を設定高度に維持する請求項１に記載の人体の水素分子吸収を高めることができる水素水霧化溶合装置。
【請求項５】
前記制御バルブは電磁バルブである、請求項４に記載の人体の水素分子吸収を高めることができる水素水霧化溶合装置。